(57)【特許請求の範囲】
【請求項１】
車速及びアクセルペダルのアクセル開度に基づいたアップシフト線及びダウンシフト線が変速段ごとに設定された複数のシフトマップを有して、自動変速時に、選択されたシフトマップを用いて自動変速機の変速段のアップシフト及びダウンシフトを実行する制御を行うと共に、
前記アクセル開度が全開を超えても踏み込み可能に構成されたアクセルペダルに設けられたキックダウンスイッチと接続されて、該アクセルペダルに前記アクセル開度の全開を超えて踏み込まれるキックダウン操作が生じて、該キックダウンスイッチがオンになった場合に、変速段のダウンシフトを実行する制御を行う自動変速機の制御装置において、
前記アップシフト線における前記アクセル開度の全開のときの車速である高開度車速から低車速側に、予め設定された車速軸方向の車速幅を有した不感帯を設け、
前記不感帯で前記キックダウンスイッチがオンになり、変速段のダウンシフトを禁止する制御を実行する前に、現在選択されているシフトマップよりも前記ダウンシフト線と前記不感帯との間が広く設定されたシフトマップを選択し、そのシフトマップに切り換えた後に、変速段のダウンシフトを実行する制御を行って、切り換えられる前のシフトマップの前記不感帯による変速段のダウンシフトを禁止する制御を回避する構成にしたことを特徴とする自動変速機の制御装置。
【請求項２】
前記キックダウンスイッチがオンになった後に、前記アクセル開度が予め定められた復帰開度になった場合には、前記キックダウンスイッチがオンになる前に選択されていたシフトマップを選択する制御を行う構成にした請求項１に記載の自動変速機の制御装置。
【請求項３】
前記復帰開度を前記アクセル開度の６０％以上、８０％以下の値に設定した請求項２に記載の自動変速機の制御装置。
【請求項４】
前記ダウンシフト線を、前記シフトマップにおけるアクセル開度軸に対して平行な直線形状に設定した請求項１〜３のいずれか１項に記載の自動変速機の制御装置。
【請求項５】
自動変速時に、車速及びアクセルペダルのアクセル開度に基づいたアップシフト線及びダウンシフト線が変速段ごとに設定された複数のシフトマップを切り換えて、自動変速機の変速段をアップシフトする及びダウンシフトする自動変速機の変速方法において、
前記アップシフト線における前記アクセル開度の全開のときの車速である高開度車速から低車速側に設けた不感帯で、前記アクセルペダルに前記アクセル開度の全開を超えて踏み込まれるキックダウン操作が生じて、変速段のダウンシフトを禁止する場合には、
変速段のダウンシフトを禁止する前に、現在選択されているシフトマップよりも前記ダウンシフト線と前記不感帯との間が広く設定されたシフトマップに切り換えた後に、変速段をダウンシフトして、切り換えられる前のシフトマップの前記不感帯による変速段のダウンシフトの禁止を回避することを特徴とする自動変速機の変速方法。
【発明の詳細な説明】
【技術分野】
【０００１】
本発明は、自動変速機の制御装置及び自動変速機の変速方法に関し、より詳細には、自動変速時に運転者の意図したキックダウン操作による加速を実現する自動変速機の制御装置及び自動変速機の変速方法に関する。
【背景技術】
【０００２】
自動変速機の変速操作の一つに、運転者が加速しようとアクセルペダルを踏み込んだときに変速段を一段下げる、つまり変速段をダウンシフトするキックダウン操作がある。
【０００３】
これに関して、アクセル開度の全開を超えてアクセルペダルの更なる踏み込み操作を検出するキックダウンスイッチを備えて、運転者にキックダウンの意図がある場合、すなわちアクセルペダルの更なる踏み込み操作があった場合にその踏み込み操作をキックダウン操作として、ダウンシフトを行える装置が提案されている（例えば、特許文献１参照）。
【０００４】
この装置は、キックダウンスイッチを用いることで、運転者の意図するキックダウン操作が可能になるが、一方、車速やアクセル開度がアップシフト線の付近にある状況で、キックダウン操作が行われると、ダウンシフトした後に直ぐにアップシフトする、所謂シフトビジーの状態が発生するので、燃費及びドライバビリティが悪化するという問題があった。
【０００５】
そこで、本願発明の発明者は、アップシフト線におけるアクセル開度の全開のときの車速である高開度車速から低車速側に、予め設定された車速軸方向の車速幅を有した不感帯を設け、不感帯でキックダウンスイッチがオンになった場合には、変速段のダウンシフトを禁止する制御を行い、不感帯の範囲より低車速でキックダウンスイッチがオンになった場合には、変速段のダウンシフトを実行する制御を行う構成にした自動変速機の制御装置を考案した。
【０００６】
この制御装置によれば、不感帯で、キックダウン操作が生じた場合には、変速段をダウンシフトしないので、シフトビジーを回避できる。
【０００７】
一方、自動変速機の制御装置には、ノーマルモードのシフトマップと、ノーマルモードのシフトマップのアップシフト線よりも、アップシフト線の高開度側を低速側にしたエコモードのシフトマップとの複数のシフトマップを備え、それらを切り換えて自動変速機の変速段をアップシフトする及びダウンシフトするものがある。
【０００８】
本願発明の発明者は、この複数のシフトマップに対して、上記の不感帯を設けると、特に、エコモードのシフトマップにおいては、ダウンシフト線と不感帯との間が狭くなり、運転者の意図したキックダウン操作による加速を実現できないことがあるという問題が新たに生じることを発見した。
【先行技術文献】
【特許文献】
【０００９】
【特許文献１】特開２０１３−８７７８２号公報
【発明の概要】
【発明が解決しようとする課題】
【００１０】
本発明は、上記の問題を鑑みてなされたものであり、その課題は、自動変速時に運転者
の意図したキックダウン操作による加速を実現する自動変速機の制御装置及び自動変速機の変速方法を提供することである。
【課題を解決するための手段】
【００１１】
上記の課題を解決するための本発明の自動変速機の制御装置は、車速及びアクセルペダルのアクセル開度に基づいたアップシフト線及びダウンシフト線が変速段ごとに設定された複数のシフトマップを有して、自動変速時に、選択されたシフトマップを用いて自動変速機の変速段のアップシフト及びダウンシフトを実行する制御を行うと共に、前記アクセル開度が全開を超えても踏み込み可能に構成されたアクセルペダルに設けられたキックダウンスイッチと接続されて、該アクセルペダルに前記アクセル開度の全開を超えて踏み込まれるキックダウン操作が生じて、該キックダウンスイッチがオンになった場合に、変速段のダウンシフトを実行する制御を行う自動変速機の制御装置において、前記アップシフト線における前記アクセル開度の全開のときの車速である高開度車速から低車速側に、予め設定された車速軸方向の車速幅を有した不感帯を設け、前記不感帯で前記キックダウンスイッチがオンになり、変速段のダウンシフトを禁止する制御を実行する前に、現在選択されているシフトマップよりも前記ダウンシフト線と前記不感帯との間が広く設定されたシフトマップを選択し、そのシフトマップに切り換えた後に、変速段のダウンシフトを実行する制御を行って、切り換えられる前のシフトマップの前記不感帯による変速段のダウンシフトを禁止する制御を回避する構成にしたことを特徴とするものである。
【００１２】
また、上記の課題を解決するための本発明の自動変速機の変速方法は、自動変速時に、車速及びアクセルペダルのアクセル開度に基づいたアップシフト線及びダウンシフト線が変速段ごとに設定された複数のシフトマップを切り換えて、自動変速機の変速段をアップシフトする及びダウンシフトする自動変速機の変速方法において、前記アップシフト線における前記アクセル開度の全開のときの車速である高開度車速から低車速側に設けた不感帯で、前記アクセルペダルに前記アクセル開度の全開を超えて踏み込まれるキックダウン操作が生じて、変速段のダウンシフトを禁止する場合には、変速段のダウンシフトを禁止する前に、現在選択されているシフトマップよりも前記ダウンシフト線と前記不感帯との間が広く設定されたシフトマップに切り換えた後に、変速段をダウンシフトして、切り換えられる前のシフトマップの前記不感帯による変速段のダウンシフトの禁止を回避することを特徴とする方法である。
【発明の効果】
【００１３】
本発明の自動変速機の制御装置及び自動変速機の変速方法によれば、不感帯でキックダウンスイッチがオンになった場合には、変速段のダウンシフトを禁止する前に、ダウンシフト線及び不感帯との間がより広く設定されたシフトマップに切り換えた後に変速段をダウンシフトして、切り換えられる前のシフトマップの不感帯による変速段のダウンシフトの禁止を回避することで、自動変速時に運転者の意図したキックダウン操作による加速を実現できる。
【００１４】
特に、本発明は、ダウンシフト線及び不感帯との間が狭く設定されたシフトマップ、すなわち、アップシフト線の高開度側がより低速側に設定されているより燃費効率の良いシフトマップを用いている際に好適であり、普段は燃費効率の良い状態で運転し、運転者が加速を望んだときには、その加速を実現することができるので、総合的に燃費を向上できると共に、ドライバビリティの悪化を抑制できる。
【図面の簡単な説明】
【００１５】
【図１】本発明の自動変速機の制御装置の実施形態を例示する説明図である。
【図２】図１のノーマルモードのシフトマップの説明図である。
【図３】図１のエコモードのシフトマップの説明図である。
【発明を実施するための形態】
【００１６】
以下、本発明の自動変速機の制御装置及び自動変速機の変速方法について説明する。図１は、本発明の自動変速機１４の制御装置２０の実施形態の構成を例示している。この制御装置２０は、自動変速時に、シフトマップＭ１とキックダウンスイッチ２４とに基づいて自動変速機の変速段のアップシフト及びダウンシフトを実行する制御を行うものである。
【００１７】
図１に示すように、自動変速機１４を備えた車両１０においては、エンジン１１の動力が、フルードカップリング（流体継手）１２に伝達され、フルードカップリング１２からクラッチ（摩擦係合要素）１３を経由して自動変速機１４に伝達されている。そして、自動変速機１４から推進軸（プロペラシャフト）１５を介して差動装置（デファレンシャルギア）１６に伝達され、差動装置１６より駆動軸（ドライブシャフト）１７を介して駆動輪１８に伝達されている。なお、自動変速機１４としては、ＡＭＴを例に説明するが、ＡＭＴに限定されずに、例えば、トルクコンバータ式ＡＴでもよい。
【００１８】
自動変速機１４は変速比の異なる複数の変速段（後退用変速段も含む）を有しており、図示しないシフトレバーにより手動変速モードが選択されている場合には、運転者によるそのシフトレバーの操作に基づいて制御装置２０により変速段のアップシフト及びダウンシフトが実行されている。また、この自動変速機１４は、シフトレバーにより自動変速モードが選択されている場合には、車速センサ２１の検出する車速Ｖ、及びアクセル開度センサ２２の検出するアクセルペダル２３のアクセル開度Ａｏに基づいて制御装置２０により変速段のアップシフト及びダウンシフトが実行されている。
【００１９】
制御装置２０は、自動変速機１４の変速段の変速制御とクラッチ１３の断接制御とを行うものであり、図示しないエンジン１１を制御するエンジン制御装置と通信接続されている。この制御装置２０は、シフトレバーにより自動変速モードが選択された場合に用いるノーマルモードのシフトマップＭ１及びエコモードのシフトマップＭ２を有している。シフトマップＭ１、Ｍ２は車速Ｖ及びアクセル開度Ａｏに基づいたアップシフト線Ｌｕ及びダウンシフト線Ｌｄが変速段ごとに設定されている。
【００２０】
ノーマルモードのシフトマップＭ１に対して、エコモードのシフトマップＭ２は、アップシフト線Ｌｕの高開度側が低速側に設定されており、早期のアップシフトにより、燃料消費率（ＳＦＣ）が高い領域でエンジン１１を運転する機会が増加して、燃費を向上させるマップである。
【００２１】
なお、ノーマルモードのシフトマップＭ１とエコモードのシフトマップＭ２とは、運転室に設けられる切換スイッチ２５をオン及びオフすることで、切り換えられるように構成されている。例えば、切換スイッチ２５をオンにした場合にはエコモードのシフトマップＭ２を用いて、切換スイッチ２５をオフにした場合にはノーマルモードのシフトマップＭ１を用いる。
【００２２】
アクセルペダル２３は、アクセル開度Ａｏが全開（１００％）を超えても踏み込み可能に構成されたペダルであり、アクセル開度センサ２２によりアクセル開度Ａｏを検出してエンジン１１の燃料噴射量などが電子制御される電子制御式で構成されている。なお、実施形態のアクセルペダル２３は、吊り下げ式のペダルを例に説明するが、オルガン式のペダルで構成してもよい。また、このアクセルペダル２３においては、アクセル開度Ａｏが全開を超えてキックダウンスイッチ２４がオンになるまでに踏み込みに対する抵抗を徐々に大きくする、あるいは全開になったときに踏み込みの感覚を異ならせると共に全開を超えてキックダウンスイッチ２４がオンになったときに更に感覚を異ならせるように構成す
ることが好ましい。これにより、アクセル開度Ａｏが全開になったことを、更に、アクセル開度Ａｏが全開を超えたときには、キックダウンスイッチ２４がオンになったことを運転者に知らせることができる。
【００２３】
このアクセルペダル２３には、アクセル開度Ａｏを検出するアクセル開度センサ２２に加えて、キックダウンスイッチ２４が設けられている。キックダウンスイッチ２４は、アクセルペダル２３が踏み込まれた場合に、アクセル開度Ａｏが全開を超えない場合にはオフになり、アクセル開度Ａｏが全開を超えた場合にはオンになるオンオフスイッチで構成されている。
【００２４】
なお、この実施形態では、キックダウンスイッチ２４を用いて、アクセル開度Ａｏが全開を超えたことを検出する構成を例にしたが、キックダウンスイッチ２４の代わりに、設定が変更されたアクセル開度センサを用いてもよい。このキックダウンスイッチ２４の代わりのアクセル開度センサにおいては、アクセル開度Ａｏの全閉（０％）から全開（１００％）を超えた値（例えば、１１０％）まで検出すると共に、検出したアクセル開度Ａｏの全閉を全閉として出力し、全開を全開未満の値（例えば、９０％）として出力し、及び全開を超えた値を全開として出力するように設定された、つまり、従来では、０％〜１００％を使用していたところを、０％〜９０％の範囲に置き換え、９０％を超えたときに１００％を出力するように設定される。また、キックダウンスイッチ２４の代わりに設定が変更されたアクセル開度センサを用いる場合には、その設定の変更と同様に制御装置２０の設定も変更する。
【００２５】
このアクセルペダル２３をアクセル開度Ａｏの全開を超えて踏み込んで、キックダウンスイッチ２４をオンにするキックダウン操作を行うと、制御装置２０は、自動変速機１４の選択されている変速段を一段高い変速比の変速段に変速するダウンシフトを実行する制御を行う。
【００２６】
このように、全開を超えても踏み込み可能に構成されたアクセルペダル２３に設けられたキックダウンスイッチ２４がオンになったときに、キックダウン操作が生じたことを検出するので、運転者の意図したキックダウン操作を正確に反映したダウンシフトを実行できる。
【００２７】
従来技術の制御装置においては、車速やアクセル開度がアップシフト線の付近にある状況で、キックダウン操作が行われると、ダウンシフトした後に直ぐにアップシフトする、所謂シフトビジーの状態が発生するので、燃費及びドライバビリティが悪化していた。
【００２８】
これに関する対策として、制御装置２０においては、シフトマップＭ１、Ｍ２に不感帯Ｒを設け、不感帯Ｒでキックダウンスイッチ２４がオンになった場合には、変速段のダウンシフトを禁止する制御を行い、不感帯Ｒの範囲より低車速でキックダウンスイッチ２４がオンになった場合には、変速段のダウンシフトを実行する制御を行うように構成されている。
【００２９】
不感帯Ｒでキックダウン操作が生じた場合には、変速段をダウンシフトしないようになるので、ダウンシフトした後に直ぐにアップシフトすることを回避でき、キックダウン操作による頻繁な変速（シフトビジー）を抑制して、燃費及びドライバビリティの向上に有利になる。
【００３０】
一方、エコモードのシフトマップＭ２においては、その不感帯Ｒを設けることで、ダウンシフト線Ｌｄと不感帯Ｒとの間が狭くなり、運転者の意図したキックダウン操作による加速を得ることが難しい。
【００３１】
そこで、本発明の自動変速機１４の制御装置２０においては、不感帯Ｒでキックダウンスイッチ２４がオンになり、変速段のダウンシフトを禁止する制御を実行する前に、現在選択されているシフトマップＭ２よりもダウンシフト線Ｌｄ１と不感帯Ｒとの間が広く設定されたシフトマップＭ１を選択し、そのシフトマップＭ１に切り換えた後に、変速段のダウンシフトを実行する制御を行って、切り換えられる前のシフトマップＭ２の不感帯Ｒによる変速段のダウンシフトを禁止する制御を回避するように構成される。
【００３２】
図２は、ノーマルモードのシフトマップＭ１の一部を示しており、図３は、エコモードのシフトマップＭ２の一部を示している。シフトマップＭ１、Ｍ２の基本構成は同様になるため、以下では、図２に示すノーマルモードのシフトマップＭ１を例に説明し、図３に示すエコモードのシフトマップＭ２については、ノーマルモードのシフトマップＭ１との違いを後述する。
【００３３】
シフトマップＭ１は、車速Ｖとアクセル開度Ａｏに基づいた複数のダウンシフト線Ｌｄ１及び複数のアップシフト線Ｌｕ２が変速段ごとに設定されている。例えば、自動変速機１４が１〜６速までの変速段を有している場合には、シフトマップＭ１には、５本のダウンシフト線Ｌｄ１と５本のアップシフト線Ｌｕ２が設定される。
【００３４】
ダウンシフト線Ｌｄ１は、ダウンシフト線Ｌｄ１における高開度側の車速を低開度車速Ｖｄ１に近づけた形状、この実施形態においては、アクセル開度軸Ｌａに対して平行な直線形状に設定される。低開度車速Ｖｄ１は、アクセル開度Ａｏの全閉（０％）に設定された車速であり、高開度側の車速は、アクセル開度Ａｏの全開（１００％）に設定された車速であり、それぞれは、予め実験や試験により求められた車速である。
【００３５】
このように高開度側の車速を低開度車速Ｖｄ１に近づけると、車速Ｖがダウンシフト線Ｌｄを超えて減速する場合、並びに、車速Ｖが低開度車速Ｖｄ１及び高開度側の車速の間でアクセル開度Ａｏが全開付近に到達した場合には、そのダウンシフト線Ｌｄに基づいて変速段Ｇ２を変速段Ｇ１にダウンシフトし、それ以外の場合には、アクセルペダル２３にアクセル開度Ａｏの全開を超えて踏み込まれるキックダウン操作が生じたときに限って、すなわちキックダウンスイッチ２４がオンになったときに限って、変速段をダウンシフトするようになるので、運転者の意図しないキックダウン操作の発生を抑制して、意図しないキックダウンによるダウンシフトの回数を減少でき、燃費の向上に有利になる。
【００３６】
また、自動変速モードで走行中に、運転者の意図したキックダウン操作により自動変速機１４の変速段をダウンシフトできるので、上記のシフトマップＭ１を平坦路用に作成したものを使用しても、坂路では、そのキックダウン操作を利用することができる。その結果、シフトマップＭ１の他に坂路用のシフトマップを使用しなくても、坂路を走行することができるようになり、自動変速機１４の制御の複雑化を回避できる。
【００３７】
ダウンシフト線Ｌｄにおいては、ダウンシフト線Ｌｄにおける車速Ｖの上限値である高開度側の車速を、アップシフト線Ｌｕにおける車速Ｖの下限値である低開度車速Ｖｕ１未満に設定されることが望ましい。このように設定することで、高開度側の車速から低開度車速Ｖｕ１までの間における運転者の意図に反した変速段のダウンシフトを抑制できる。
【００３８】
また、この高開度側の車速は、低開度車速Ｖｄ１に対して近づく程、運転者の意図に反した変速段のダウンシフトを抑制できるので、この実施形態のように、アクセル開度Ａｏの全閉（０％）から全開（１００％）までの車速を一定にする、つまり、シフトマップＭ１におけるアクセル開度軸Ｌａに対して平行な直線形状に設定されることがより望ましい。
【００３９】
このようにダウンシフト線Ｌｄを直線形状に形成することで、ダウンシフト線Ｌｄの近傍で、アクセルペダル２３にアクセル開度Ａｏの全開以下のアクセル操作が生じた場合でも、確実にキックダウンによるダウンシフトを回避できるので、運転者の意図しないキックダウンの発生の抑制に有利になる。また、ダウンシフト線Ｌｄを低開度車速Ｖｄ１に対してフラットな形状に設定して、アップシフト線Ｌｕの高開度車速Ｖｕ２をより低車速側に下げることができるので、早期のアップシフトを図ることができる。これにより、燃料消費率（ＳＦＣ）が高い領域でエンジン１１を運転する機会が増加するので、燃費向上にも有利になる。
【００４０】
従って、制御装置２０は、このダウンシフト線Ｌｄ１に基づいて、シフトマップＭ１の右方から左方へ車速Ｖがダウンシフト線Ｌｄ１を超えて減速したときに、すなわちダウンシフト線Ｌｄ１が右方から左方へ横切られたときに現在選択されている変速段よりも一段高い変速比の変速段にダウンシフトし、ダウンシフト線Ｌｄとアップシフト線Ｌｕにおける低開度車速Ｖｕ１との間の範囲で車速Ｖが変化しても変速段をダウンシフトさせずに、キックダウンスイッチ２４がオンになった場合に限って、現在選択されている変速段よりも一段高い変速比の変速段にダウンシフトする。
【００４１】
アップシフト線Ｌｕ１は、アクセル開度Ａｏの高開度側の高開度車速Ｖｕ２が低開度側の低開度車速Ｖｕ１よりも高車速側になるように設定され、詳しくは、アクセル開度Ａｏが低開度の部分では、変速段に基づいて設定された低開度車速Ｖｕ１を示す線に対して略重なり、高開度になるに連れて車速Ｖのより高速側に高開度車速Ｖｕ２なるように湾曲した形状に設定されている。
【００４２】
従って、制御装置２０は、このアップシフト線Ｌｕ１に基づいて、シフトマップＭ１の左方から右方へ車速Ｖがアップシフト線Ｌｕ１を超えて増加したときに、及びシフトマップＭ１の上方から下方へアクセル開度Ａｏがアップシフト線Ｌｕ１を超えて閉じる方向に戻ったときに現在選択されている変速段よりも一段低い変速比の変速段にアップシフトする。
【００４３】
不感帯Ｒは、アップシフト線Ｌｕ１におけるアクセル開度Ａｏの全開のときの車速である高開度車速Ｖｕ２から低車速側に設けられる。不感帯Ｒの車速軸Ｌｂ方向の車速幅Δｄの値は、予め実験や試験により、アクセルペダル２３がアクセル開度Ａｏの全開を超えて踏み込まれて、キックダウンスイッチ２４がオンになり、キックダウン操作による変速段のダウンシフトを実行した際に、ダウンシフトの直後にアップシフト線Ｌｕ１を超えて変速段のアップシフトが実行されない範囲に設定されることが望ましく、不感帯Ｒで変速段のダウンシフトが実行されたと仮定した場合の加速度に基づいて設定されることがより望ましい。
【００４４】
図３に示すエコモードのシフトマップＭ２は、ノーマルモードのシフトマップＭ１と比較して、アップシフト線Ｌｕ２の高開度車速Ｖｕ４がより低速側に設定されている。
【００４５】
次に、制御装置２０の行う自動変速機１４の変速方法について説明する。ここで、自動変速機１４の複数の変速段のうちの一つをＧ１、その変速段Ｇ１よりも一段低い変速比を有する変速段をＧ２として、ダウンシフト線Ｌｄ１、Ｌｄ２を変速段Ｇ２から変速段Ｇ１へのダウンシフト線とし、アップシフト線Ｌｕ１、Ｌｕ２を変速段Ｇ１から変速段Ｇ２へのアップシフト線とする。また、エコモードのシフトマップＭ２における運転状況、つまりアクセルペダル２３の踏み込み操作を点Ａ１〜Ａ１１で示す。
【００４６】
変速段Ｇ２が選択されている場合で、点Ａ１から点Ａ２にアクセルペダル２３を踏み込
んだ場合には、ダウンシフト線Ｌｄ２を横切っていない、且つキックダウンスイッチ２４がオフになっているため、制御装置２０は自動変速機１４の変速段Ｇ２を変速しない。
【００４７】
変速段Ｇ２が選択されている場合で、点Ａ１から点Ａ３にアクセルペダル２３を踏み込んだ場合には、ダウンシフト線Ｌｄ２を横切っていないが、アクセル開度Ａｏが全開（１００％）を超えて、且つ不感帯Ｒの範囲以外でキックダウンスイッチ２４がオンになるため、制御装置２０は自動変速機１４の変速段Ｇ２を変速段Ｇ１にダウンシフトする。
【００４８】
変速段Ｇ２が選択されている場合で、点Ａ４から点Ａ５に車速Ｖが減速した場合には、キックダウンスイッチ２４はオフになっているが、ダウンシフト線Ｌｄ２を横切るため、制御装置２０は自動変速機１４の変速段Ｇ２を変速段Ｇ１にダウンシフトする。
【００４９】
変速段Ｇ１が選択されている場合で、点Ａ６から点Ａ７に車速Ｖが加速し、アップシフト線Ｌｕ２を横切るため、制御装置２０は自動変速機１４の変速段Ｇ１を変速段Ｇ２にアップシフトする。
【００５０】
変速段Ｇ２が選択されている場合で、点Ａ８から点Ａ９にアクセルペダル２３を踏み込んだ場合には、アクセル開度Ａｏが全開（１００％）を超えてキックダウンスイッチ２４がオンになるが、点Ａ８及び点Ａ９が不感帯Ｒの範囲内のため、制御装置２０は自動変速機１４の変速段Ｇ２を変速しない。
【００５１】
このとき、制御装置２０は、自動変速機１４の変速段Ｇ２のダウンシフトが禁止される前に、シフトマップＭ２からシフトマップＭ１に切り換える。そして、図２に示すように、シフトマップＭ１における点Ａ８から点Ａ９にアクセルペダル２３を踏み込んだ場合には、ダウンシフト線Ｌｄ１を横切っていないが、アクセル開度Ａｏが全開（１００％）を超えて、且つ不感帯Ｒの範囲より低車速でキックダウンスイッチ２４がオンになるため、制御装置２０は自動変速機１４の変速段Ｇ２を変速段Ｇ１にダウンシフトする。
【００５２】
このように、この自動変速機１４の変速方法においては、自動変速モードで走行中に、エコモードのシフトマップＭ２が選択されている場合に、シフトマップＭ２のアップシフト線Ｌｕ２の近傍の不感帯Ｒでキックダウン操作が生じて、変速段のダウンシフトを禁止するときには、変速段のダウンシフトを禁止する前に、現在選択されているシフトマップＭ２よりもダウンシフト線Ｌｄ１と不感帯Ｒとの間が広く設定されたシフトマップＭ１に切り換えた後に、変速段をダウンシフトする。これにより、切り換えられる前のシフトマップＭ２の不感帯Ｒによる変速段のダウンシフトの禁止を回避する。
【００５３】
従って、本発明の自動変速機１４の制御装置２０及びその変速方法によれば、エコモードのシフトマップＭ２の不感帯Ｒでキックダウンスイッチ２４がオンになった場合には、変速段のダウンシフトを禁止する前に、シフトマップＭ１に切り換えた後に変速段をダウンシフトして、これにより、切り換えられる前のシフトマップＭ２の不感帯Ｒによる変速段のダウンシフトの禁止を回避することで、自動変速モードで走行中に運転者の意図したキックダウン操作による加速を実現できる。
【００５４】
特に、本発明は、ダウンシフト線Ｌｄ２及び不感帯Ｒの間が狭く設定されたシフトマップＭ２、すなわち、アップシフト線Ｌｕ２の高開度側がより低速側に設定されているより燃費効率の良いエコモードのシフトマップＭ２を用いている際に好適であり、普段は燃費効率の良い状態で運転し、運転者が加速を望んだときには、その加速を実現することができるので、総合的に燃費を向上できると共に、ドライバビリティの悪化を抑制できる。
【００５５】
上記の自動変速機１４の制御装置２０においては、切換スイッチ２５がオンのまま維持
されている際に、キックダウンスイッチ２４がオンになった後に、アクセル開度Ａｏが予め定められた復帰開度α１になった場合には、キックダウンスイッチ２４がオンになる前に選択されていたシフトマップＭ２を選択する制御を行うように構成されることが望ましい。
【００５６】
復帰開度α１は、運転者が加速を必要としていないと判断できる開度に設定されることが好ましく、アクセル開度の６０％以上、８０％以下の値に設定されることがより好ましい。
【００５７】
この構成によれば、キックダウン操作による変速段のダウンシフトが緊急的であり、切換スイッチ２５がオンのまま維持されている、つまり運転者が燃料消費量の少ないエコモードのシフトマップＭ２に基づいた自動変速モードの走行を意図している場合に、運転者の意図通りにシフトマップＭ１からシフトマップＭ２に切り換えることができるので、燃費向上に有利になる。
【符号の説明】
【００５８】
１０  車両
１４  自動変速機
２０  制御装置
２１  車速センサ
２２  アクセル開度センサ
２３  アクセルペダル
２４  キックダウンスイッチ
２５  切換スイッチ
Ａｏ  アクセル開度
Ｌａ  アクセル開度軸
Ｌｂ  車速軸
Ｌｄ１、Ｌｄ２  ダウンシフト線
Ｌｕ１、Ｌｕ２  アップシフト線
Ｍ１、Ｍ２  シフトマップ
Ｖ  車速
Ｖｄ１  低開度車速
Ｖｕ２  高開度車速
Ｒ  不感帯
【図１】
0006447182.tif 000002
【図２】
0006447182.tif 000003
【図３】
0006447182.tif 000004